(57)【特許請求の範囲】
【請求項１】
モバイル機器ネットワークアクセスのダイアメータベースの誘導のための方法であって、前記方法は、
モバイル機器に関連付けられたダイアメータメッセージを受信するステップと、
ネットワークにおけるポリシーを決定するためのノードまたはダイアメータメッセージを処理するためのノードが、モバイル機器をネットワークに誘導するためのルールにアクセスするステップと、
前記モバイル機器が、前記モバイル機器のネットワークアクセスを現在サポートしている無線アクセスネットワークまたは無線アクセスネットワークタイプとは異なる、無線アクセスネットワークまたは無線アクセスネットワークタイプにアクセスするように誘導されるべきかどうかを、前記ポリシーを決定するためのノードまたは前記ダイアメータメッセージを処理するためのノードが、前記ルールおよび前記受信したダイアメータメッセージに基づいて判断するステップと、
前記モバイル機器は前記異なる無線アクセスネットワークまたは無線アクセスネットワークタイプにアクセスすべきであるという判断に応答して、前記モバイル機器を、前記異なる無線アクセスネットワークまたは無線アクセスネットワークタイプにアクセスするように誘導するステップとを含む、方法。
【請求項２】
前記ダイアメータメッセージは、ユーザ名情報、訪問先ネットワーク識別情報、および無線アクセスタイプ識別情報のうちの少なくとも１つを含む、請求項１に記載の方法。
【請求項３】
前記モバイル機器が誘導されるべきかどうかを判断するステップは、前記ユーザ名情報、前記訪問先ネットワーク識別情報、および前記無線アクセスタイプ識別情報のうちの前記少なくとも１つを調べるステップと、前記ユーザ名情報、前記訪問先ネットワーク識別情報、または前記無線アクセスタイプ識別情報に基づいて、前記異なる無線アクセスネットワークまたは無線アクセスネットワークタイプを識別するステップとを含む、請求項２に記載の方法。
【請求項４】
前記ダイアメータメッセージはユーザ名情報を含み、
前記モバイル機器が誘導されるべきかどうかを判断するステップは、訪問先ネットワーク識別情報および訪問先ネットワーク無線アクセスタイプ識別情報のうちの少なくとも１つを得るために前記ユーザ名情報を用いるステップと、前記訪問先ネットワーク識別情報または前記訪問先ネットワーク無線アクセスタイプ識別情報を調べるステップと、前記訪問先ネットワーク識別情報または前記訪問先ネットワーク無線アクセスタイプ識別情報に基づいて、前記異なる無線アクセスネットワークまたは無線アクセスネットワークタイプを識別するステップとを含む、請求項２に記載の方法。
【請求項５】
前記モバイル機器が誘導されるべきかどうかを判断するステップは、前記ユーザ名情報、前記訪問先ネットワーク識別情報、および前記無線アクセスタイプ識別情報のうちの前記少なくとも１つを調べるステップと、前記ユーザ名情報、前記訪問先ネットワーク識別情報、または前記無線アクセスタイプ識別情報に基づいて、前記異なる無線アクセスネットワークまたは無線アクセスネットワークタイプを識別するステップと、前記モバイル機器についての好ましいローミングネットワーク情報を更新するために、汎用加入者識別モジュール（ＵＳＩＭ）アプリケーションツールキット（ＵＳＡＴ）メッセージを作成するステップとを含む、請求項２に記載の方法。
【請求項６】
前記モバイル機器を現在の前記無線アクセスネットワークまたは現在の前記無線アクセスネットワークタイプから切り離し、前記異なる無線アクセスネットワークまたは無線アクセスネットワークタイプを介して再度接続させるダイアメータ位置情報削除要求（ＣＬＲ）メッセージを作成するステップをさらに含む、請求項５に記載の方法。
【請求項７】
ダイアメータシグナリングルータ（ＤＳＲ）ノード、またはポリシーおよび課金ルール機能（ＰＣＲＦ）ノードで前記誘導を行なうステップを含む、請求項１〜６のいずれか１項に記載の方法。
【請求項８】
モバイル機器ネットワークアクセスのダイアメータベースの誘導のためのシステムであって、前記システムは１つ以上のネットワークノードを含み、前記１つ以上のネットワークノードは、
モバイル機器に関連付けられたダイアメータメッセージを受信するよう構成された通信インターフェイスと、
前記モバイル機器が、前記モバイル機器のネットワークアクセスを現在サポートしている無線アクセスネットワークまたは無線アクセスネットワークタイプとは異なる、無線アクセスネットワークまたは無線アクセスネットワークタイプにアクセスするように誘導されるべきかどうかを、前記ダイアメータメッセージに基づいて判断し、前記モバイル機器は前記異なる無線アクセスネットワークまたは無線アクセスネットワークタイプにアクセスすべきであるという判断に応答して、前記モバイル機器を、前記異なる無線アクセスネットワークまたは無線アクセスネットワークタイプにアクセスするように誘導するよう構成された誘導モジュールとを含み、
前記１つ以上のネットワークノードは、ネットワークにおけるポリシーを決定するためのノードまたはダイアメータメッセージを処理するためのノードを含み、
前記ポリシーを決定するためのノードまたは前記ダイアメータメッセージを処理するためのノードが、モバイル機器をネットワークに誘導するためのルールと前記ダイアメータメッセージに基づいて、前記判断を行なうように構成されている、システム。
【請求項９】
前記ダイアメータメッセージは、ユーザ名情報、訪問先ネットワーク識別情報、および無線アクセスタイプ識別情報のうちの少なくとも１つを含む、請求項８に記載のシステム。
【請求項１０】
前記誘導モジュールは、前記ユーザ名情報、前記訪問先ネットワーク識別情報、および前記無線アクセスタイプ識別情報のうちの前記少なくとも１つを調べることによって、前記モバイル機器が誘導されるべきかどうかを判断し、前記ユーザ名情報、前記訪問先ネットワーク識別情報、または前記無線アクセスタイプ識別情報に基づいて、前記異なる無線アクセスネットワークまたは無線アクセスネットワークタイプを識別するよう構成されている、請求項９に記載のシステム。
【請求項１１】
前記ダイアメータメッセージはユーザ名情報を含み、
前記誘導モジュールは、訪問先ネットワーク識別情報および訪問先ネットワーク無線アクセスタイプ識別情報のうちの少なくとも１つを得るために前記ユーザ名情報を用いることによって、前記モバイル機器が誘導されるべきかどうかを判断し、前記訪問先ネットワーク識別情報または前記訪問先ネットワーク無線アクセスタイプ識別情報を調べ、前記訪問先ネットワーク識別情報または前記訪問先ネットワーク無線アクセスタイプ識別情報に基づいて、前記異なる無線アクセスネットワークまたは無線アクセスネットワークタイプ
を識別するよう構成されている、請求項９に記載のシステム。
【請求項１２】
前記誘導モジュールは、前記ユーザ名情報、前記訪問先ネットワーク識別情報、および前記無線アクセスタイプ識別情報のうちの前記少なくとも１つを調べることによって、前記モバイル機器が誘導されるべきかどうかを判断し、前記ユーザ名情報、前記訪問先ネットワーク識別情報、または前記無線アクセスタイプ識別情報に基づいて、前記異なる無線アクセスネットワークまたは無線アクセスネットワークタイプを識別し、前記モバイル機器についての好ましいローミングネットワーク情報を更新するために、汎用加入者識別モジュール（ＵＳＩＭ）アプリケーションツールキット（ＵＳＡＴ）メッセージを作成するよう構成されている、請求項９に記載のシステム。
【請求項１３】
前記誘導モジュールは、前記モバイル機器を現在の前記無線アクセスネットワークまたは現在の前記無線アクセスネットワークタイプから切り離し、前記異なる無線アクセスネットワークまたは無線アクセスネットワークタイプを介して再度接続させるダイアメータ位置情報削除要求（ＣＬＲ）メッセージを作成するよう構成されている、請求項１２に記載のシステム。
【請求項１４】
前記ネットワークノードは、ダイアメータシグナリングルータ（ＤＳＲ）、およびポリシーおよび課金ルール機能（ＰＣＲＦ）のうちの少なくとも１つを含む、請求項８〜１３のいずれか１項に記載のシステム。
【請求項１５】
請求項１〜７のいずれかに記載の方法をコンピュータに実現させるためのプログラム。
【発明の詳細な説明】
【技術分野】
【０００１】
優先権主張
本願は、２０１１年３月１８日に出願された米国仮特許出願連続番号第６１／４５４，４５６号の利益を主張する。当該仮出願の開示はその全体がここに引用により援用される。
【０００２】
技術分野
ここに説明される主題は、モバイル機器ネットワークアクセスのダイアメータ（Diameter）ベースの誘導に関する。より特定的には、主題は、モバイル機器ネットワークアクセスのダイアメータベースの誘導のための方法、システム、およびコンピュータ読取可能媒体に関する。
【背景技術】
【０００３】
背景
ダイアメータプロトコルは、次世代の認証、認可、および会計（authentication, authorization, and accounting：ＡＡＡ）プロトコルである。ダイアメータベースのプロトコルはＩＥＴＦ  ＲＦＣ  ３５８８に定義されており、その開示はその全体がここに引用により援用される。インターネットマルチメディアサブシステム（Internet multimedia subsystem：ＩＭＳ）アーキテクチャ内でよく使用されるダイアメータプロトコルは、遠隔認証ダイヤルインユーザサービス（remote authentication dial-in user service：ＲＡＤＩＵＳ）プロトコルから発生した。歴史的には、ＲＡＤＩＵＳプロトコルは、インターネットサービスプロバイダ（Internet service provider：ＩＳＰ）のアクセスサーバと、ユーザ認証情報が格納された安全な場所、たとえばライトウェイトディレクトリアクセスプロトコル（lightweight directory access protocol：ＬＤＡＰ）サーバとの間に安全な通信チャネルを提供するために、ＩＳＰらによって採用された。ＲＡＤＩＵＳプロトコルは標準化されたＡＡＡ交換プロトコルを提供したものの、新しい技術およびアプリケーションの出現により、刻々と変化する要望を満たすことができるプロトコルの開発が必要になった。ダイアメータは、拡張された機能性を提供し、将来の発展を受入れる姿勢を保ちつつ、ＲＡＤＩＵＳの標準化されたアプローチを拡張することを目指している。
【０００４】
無線通信技術は進化し続けているため、多くのプロバイダらは、１つ以上の無線アクセスネットワークによってサポートされるさまざまな無線アクセス技術を介して、加入者サービスを提供することができる。そのような拡張するインフラストラクチャにより、プロバイダはその加入者のためにより多くのサービスをサポートすることができるものの、プロバイダは、ある特定の加入者または一部の加入者らが、所与の時刻にまたは所与の一組のネットワーク条件下で、そのネットワーク資源をどのように利用するかを管理したいと望む場合がしばしばある。
【０００５】
したがって、モバイル機器ネットワークアクセスのダイアメータベースの誘導のための方法、システム、およびコンピュータ読取可能媒体に対する要望が存在する。
【発明の概要】
【課題を解決するための手段】
【０００６】
概要
一局面によれば、ここに説明される主題は、モバイル機器ネットワークアクセスのダイアメータベースの誘導のための方法を含む。この方法は、モバイル機器に関連付けられたダイアメータメッセージを受信するステップを含む。この方法はまた、モバイル機器が、モバイル機器のネットワークアクセスを現在サポートしている無線アクセスネットワークまたは無線アクセスネットワークタイプとは異なる、無線アクセスネットワークまたは無線アクセスネットワークタイプにアクセスするように誘導されるべきかどうかを、ダイアメータメッセージに基づいて判断するステップを含む。この方法はさらに、モバイル機器は異なる無線アクセスネットワークまたは無線アクセスネットワークタイプにアクセスすべきであるという判断に応答して、モバイル機器を、異なる無線アクセスネットワークまたは無線アクセスネットワークタイプにアクセスするように誘導するステップを含む。
【０００７】
別の局面によれば、ここに説明される主題は、モバイル機器ネットワークアクセスのダイアメータベースの誘導のためのシステムを含む。このシステムは、ネットワークノードを含む。ネットワークノードは、モバイル機器に関連付けられたダイアメータメッセージを受信するよう構成された通信インターフェイスを含む。ネットワークノードはまた、モバイル機器が、モバイル機器のネットワークアクセスを現在サポートしている無線アクセスネットワークまたは無線アクセスネットワークタイプとは異なる、無線アクセスネットワークまたは無線アクセスネットワークタイプにアクセスするように誘導されるべきかどうかを、ダイアメータメッセージに基づいて判断し、モバイル機器は異なる無線アクセスネットワークまたは無線アクセスネットワークタイプにアクセスすべきであるという判断に応答して、モバイル機器を、異なる無線アクセスネットワークまたは無線アクセスネットワークタイプにアクセスするように誘導するよう構成された誘導モジュールを含む。
【０００８】
ここで使用されるように、「ノード」という用語は、１つ以上のプロセッサとメモリとを含む物理的コンピューティングプラットフォームを指す。
【０００９】
ここで使用されるように、「モジュール」という用語は、ここに説明される特徴を実現するために（プロセッサなどの）ハードウェアおよび／またはファームウェアと組み合わされたソフトウェアを指す。
【００１０】
ここに説明される主題は、ハードウェアおよび／またはファームウェアと組み合わされたソフトウェアで実現可能である。たとえば、ここに説明される主題は、１つ以上のプロセッサによって実行されるソフトウェアで実現されてもよい。１つの例示的な実現化例では、ここに説明される主題は、コンピュータのプロセッサによって実行されると、ステップを行なうようにコンピュータを制御するコンピュータ実行可能命令を格納した一時的でないコンピュータ読取可能媒体を用いて実現されてもよい。ここに説明される主題を実現するのに好適な例示的なコンピュータ読取可能媒体は、ディスクメモリ装置、チップメモリ装置、プログラマブル論理装置、および特定用途向け集積回路などの一時的でないコンピュータ読取可能媒体を含む。加えて、ここに説明される主題を実現するコンピュータ読取可能媒体は、単一の装置またはコンピューティングプラットフォーム上に位置していてもよく、もしくは、複数の装置またはコンピューティングプラットフォーム中に分散されていてもよい。
【００１１】
図面の簡単な説明
ここに説明される主題を、添付図面を参照してこれから説明する。
【図面の簡単な説明】
【００１２】
【図１】ここに説明される主題の実施例に従う、モバイル機器ネットワークアクセスのダイアメータベースの誘導のための例示的なネットワーク環境を示すネットワーク図である。
【図２】ここに説明される主題の実施例に従う、位置情報更新要求（update location request：ＵＬＲ）に応答した、異なる無線アクセスネットワークタイプへのモバイル機器ネットワークアクセスのダイアメータベースの誘導のための例示的なメッセージシーケンスである。
【図３】ここに説明される主題の実施例に従う、ＵＬＲに応答した、異なる無線アクセスネットワークへのモバイル機器ネットワークアクセスのダイアメータベースの誘導のための例示的なメッセージシーケンスである。
【図４】ここに説明される主題の実施例に従う、クレジット管理要求（credit control request：ＣＣＲ）に応答した、モバイル機器ネットワークアクセスのダイアメータベースの誘導のための例示的なメッセージシーケンスである。
【図５】ここに説明される主題の実施例に従う、加入者情報が加入者データリポジトリから得られる、モバイル機器ネットワークアクセスのダイアメータベースの誘導のための例示的なメッセージシーケンスである。
【図６】ここに説明される主題の実施例に従う、ＵＬＲに応答して、モバイル機器の汎用加入者識別モジュール（universal subscriber identity module：ＵＳＩＭ）が、好ましいローミングネットワーク情報を反映するよう更新される、モバイル機器ネットワークアクセスのダイアメータベースの誘導のための例示的なメッセージシーケンスである。
【図７】ここに説明される主題の実施例に従う、ＣＣＲに応答して、モバイル機器のＵＳＩＭが、好ましいローミングネットワーク情報を反映するよう更新される、モバイル機器ネットワークアクセスのダイアメータベースの誘導のための例示的なメッセージシーケンスである。
【図８】ここに説明される主題の実施例に従う、ネットワーク優先度情報の変更に応答して、モバイル機器のＵＳＩＭが、ポリシーおよび課金ルール機能（policy and charging rules function：ＰＣＲＦ）ノードにより、好ましいローミングネットワーク情報を反映するよう更新される、モバイル機器ネットワークアクセスのダイアメータベースの誘導のための例示的なメッセージシーケンスである。
【図９】ここに説明される主題の実施例に従う、ネットワーク優先度情報の変更に応答して、モバイル機器のＵＳＩＭが、ダイアメータシグナリングルータ（Diameter signaling router：ＤＳＲ）ノードにより、好ましいローミングネットワーク情報を反映するよう更新される、モバイル機器ネットワークアクセスのダイアメータベースの誘導のための例示的なメッセージシーケンスである。
【図１０】ここに説明される主題の実施例に従う、モバイル機器ネットワークアクセスのダイアメータベースの誘導のための例示的な誘導ポリシールールデータ表である。
【図１１】ここに説明される主題の実施例に従う、モバイル機器ネットワークアクセスのダイアメータベースの誘導のための例示的な誘導ログデータ表である。
【図１２】ここに説明される主題の実施例に従う、モバイル機器ネットワークアクセスのダイアメータベースの誘導のための例示的なプロセスを示すフローチャートである。
【図１３】ここに説明される主題の実施例に従う、モバイル機器ネットワークアクセスのダイアメータベースの誘導のためのネットワークノードを示すブロック図である。
【発明を実施するための形態】
【００１３】
詳細な説明
モバイル機器ネットワークアクセスのダイアメータベースの誘導のための方法、システム、およびコンピュータ読取可能媒体が提供される。図１は、ここに説明される主題の実施例に従う、モバイル機器ネットワークアクセスのダイアメータベースの誘導のための例示的なネットワーク環境を示すネットワーク図である。図１を参照して、ネットワーク環境１００は、１つ以上のモバイル機器を含んでいてもよい。たとえば、ネットワーク環境１００は、モバイル機器１０２を含んでいてもよい。モバイル機器１０２は、ネットワーク環境１００内で通信するのに好適なあらゆるモバイル機器であってもよい。たとえば、モバイル機器１０２は、携帯電話機、スマートフォン、携帯情報端末（ＰＤＡ）、タブレットコンピュータ、ラップトップコンピュータ、セルラーモデム、セルラーネットワークアクセスカード、またはネットワーク環境１００内で通信するのに好適な他のあらゆる機器であってもよい。ネットワーク環境１００はまた、キャリアネットワーク１０４を含んでいてもよい。キャリアネットワーク１０４は、モバイル機器１０２をサポートし、モバイル機器１０２がネットワーク環境１００内で通信すること、およびネットワーク環境１００の外部のネットワークノード（図示せず）へと通信することを可能にしてもよい。たとえば、キャリアネットワーク１０４は、モバイル機器１０２にインターネットアクセスを提供してもよい。キャリアネットワーク１０４は、ネットワーク環境１００内のモバイル機器（たとえば、モバイル機器１０２）をサポートするための１つ以上のネットワークノードを含んでいてもよい。たとえば、キャリアネットワーク１０４は、加入者データリポジトリ（subscriber data repository：ＳＤＲ）ノード１０６を含んでいてもよい。ＳＤＲノード１０６は、加入者関連情報用の中央レポジトリとして機能してもよく、たとえば、ホーム加入者サーバ（home subscriber server：ＨＳＳ）および／または加入者プロファイルリポジトリ（subscriber profile repository：ＳＰＲ）であってもよい。
【００１４】
キャリアネットワーク１０４はまた、ポリシーおよび課金ルール機能（ＰＣＲＦ）ノード１０８を含んでいてもよい。ＰＣＲＦノード１０８は、ネットワーク環境１００用の中央ポリシー決定点として機能してもよく、ネットワーク環境１００に属する集約された情報に基づいてリアルタイムポリシー決定を行なってもよい。キャリアネットワーク１０４はまた、ポリシーおよび課金施行機能（policy and charging enforcement function：ＰＣＥＦ）ノード１１０を含んでいてもよい。ＰＣＥＦノード１１０は、ネットワーク環境１００内のポリシー施行点として機能してもよく、ＰＣＲＦノード１０８からポリシー決定を受信して施行してもよい。ＰＣＥＦノード１１０は、たとえば、ゲートウェイ汎用パケット無線サービス（gateway general packet radio service：ＧＰＲＳ）サポートノード（ＧＧＳＮ）および／またはパケットデータネットワーク（packet data network）ゲートウェイノードであってもよい。ネットワーク環境１００内の１つ以上のネットワークノードは、１つ以上のダイアメータメッセージを介して通信してもよく、キャリアネットワーク１０４はさらに、そのようなダイアメータメッセージを処理し、および／またはルーティングするためのダイアメータシグナリングルータ（ＤＳＲ）ノード１１２を含んでいてもよい。いくつかの実施例では、ＤＳＲノード１１２は、ネットワーク環境１００内でダイアメータメッセージ用のダイアメータルーティングエージェント、ダイアメータプロキシエージェント、および／またはダイアメータ変換エージェントとして機能してもよい。
【００１５】
ネットワーク環境１００はまた、１つ以上のモバイル機器（たとえば、モバイル機器１０２）とキャリアネットワーク１０４との通信をサポートするための１つ以上のアクセスネットワークを含んでいてもよい。たとえば、ネットワーク環境１００は、アクセスネットワーク１１４および１１６を含んでいてもよい。アクセスネットワーク１１４および１１６は、１つ以上のモバイル機器（たとえば、モバイル機器１０２）と無線通信するための１つ以上の送受信機／受信機ステーションを含んでいてもよい。たとえば、アクセスネットワーク１１４は送受信機／受信機ステーション１１８を含んでいてもよく、アクセスネットワーク１１６は送受信機／受信機ステーション１２０を含んでいてもよい。アクセスネットワーク１１４および１１６はまた、１つ以上のモバイル機器（たとえば、モバイル機器１０２）との通信をサポートするための１つ以上のネットワークノードを含んでいてもよい。たとえば、アクセスネットワーク１１４は、アクセスネットワーク１１４に関連付けられた１つ以上のモバイル機器との通信をサポートするためのモビリティ管理エンティティ（mobility management entity：ＭＭＥ）ノード１２２を含んでいてもよい。同様に、アクセスネットワーク１１６は、アクセスネットワーク１１６に関連付けられた１つ以上のモバイル機器との通信をサポートするためのＭＭＥノード１２４を含んでいてもよい。アクセスネットワーク１１４および１１６は、ネットワーク環境１００で動作するモバイル機器（たとえば、モバイル機器１０２）と通信するために、さまざまな無線アクセスネットワークタイプ（たとえば、グローバル・システム・フォー・モバイル・コミュニケーションズ無線アクセスネットワーク（global system for mobile communications radio access network：ＧＲＡＮ）、グローバル・システム・フォー・モバイル・コミュニケーションズ・エッジ無線アクセスネットワーク（global system for mobile communications edge radio access network：ＧＥＲＡＮ）、および／または汎用地上無線アクセスネットワーク（universal terrestrial radio access network：ＵＴＲＡＮ））を利用してもよい。たとえば、アクセスネットワーク１１４は、モバイル機器１０２と通信するために、無線アクセスネットワークタイプ１２６および／または無線アクセスネットワークタイプ１２８を利用してもよい。同様に、アクセスネットワーク１１６は、モバイル機器１０２と通信するために、無線アクセスネットワークタイプ１３０および／または無線アクセスネットワークタイプ１３２を利用してもよい。
【００１６】
上述のように、プロバイダは、ある特定の加入者または一部の加入者らが、所与の時刻にまたは所与の一組のネットワーク条件下で、そのネットワーク資源をどのように利用するかを管理したいと望む場合がある。たとえば、キャリアネットワーク１０４に関連付けられたプロバイダは、モバイル機器１０２が、所与の時刻にまたは所与の一組のネットワーク条件下で、アクセスネットワーク１１６よりもアクセスネットワーク１１４を利用することを好む場合がある。同様に、キャリアネットワーク１０４に関連付けられたプロバイダは、モバイル機器１０２が、所与の時刻にまたは所与の一組のネットワーク条件下で、無線アクセスネットワークタイプ１２８よりも無線アクセスネットワークタイプ１２６を利用すること、および／または、そのモバイル機器１０２が、無線アクセスネットワークタイプ１３２よりも無線アクセスネットワークタイプ１３０を利用することを好む場合がある。ここに説明される主題の実施例によれば、モバイル機器のダイアメータベースの誘導は、モバイル機器（たとえば、モバイル機器１０２）を、異なる無線アクセスネットワーク（たとえば、アクセスネットワーク１１４および／またはアクセスネットワーク１１６）および／または異なる無線アクセスネットワークタイプ（たとえば、無線アクセスネットワークタイプ１２６、１２８、１３０、および／または１３２）に誘導するために利用されてもよい。ダイアメータベースの誘導は、ネットワーク環境１００内の１つ以上のノードによって行なわれてもよい。たとえば、ダイアメータベースの誘導は、ＰＣＲＦノード１０８および／またはＤＳＲノード１１２によって行なわれてもよい。いくつかの実施例では、ＰＣＲＦノード１０８および／またはＤＳＲノード１１２は、誘導／選別ルールデータベース１３４および／または誘導／選別ルールデータベース１３６のうちの１つ以上に格納された１つ以上の誘導／選別ルールに従って、ダイアメータベースの誘導を行なってもよい。
【００１７】
図２は、ここに説明される主題の実施例に従う、位置情報更新要求（ＵＬＲ）に応答した、異なる無線アクセスネットワークタイプへのモバイル機器ネットワークアクセスのダイアメータベースの誘導のための例示的なメッセージシーケンスである。図２を参照して、ステップ１で、モバイル機器１０２は、無線アクセスネットワークタイプ１２６を介して、アクセスネットワーク１１４の送受信機／受信機ステーション１１８のうちの１つ以上に接続（アタッチ）されてもよい。ステップ２で、アクセスネットワーク１１４のＭＭＥノード１２２は、ＵＬＲメッセージをＳＤＲノード１０６に送信してもよい。ＵＬＲメッセージは、モバイル機器１０２を利用している加入者が無線アクセスネットワークタイプ１２６を介してアクセスネットワーク１１４に接続されていることを特定してもよい。ＳＤＲノード１０６に行く途中で、ＤＳＲノード１１２がＵＬＲメッセージを遮ってもよい。ここに説明される主題の実施例によれば、ステップ３で、ＤＳＲノード１１２は、モバイル機器１０２は無線アクセスネットワークタイプ１２８に誘導されるべきであると判断してもよい。たとえば、誘導／選別ルールデータベース１３６に格納された誘導ルールが、モバイル機器１０２を利用している加入者は無線アクセスネットワークタイプ１２８に誘導されるべきであると特定してもよい。いくつかの実施例では、ＤＳＲノード１１２は、ＵＬＲメッセージに含まれたユーザ名情報（たとえば、モバイル機器１０２を利用している加入者に関連付けられた情報）、訪問先ネットワーク識別情報（たとえば、アクセスネットワーク１１４に関連付けられた情報）、および／または無線アクセスネットワークタイプ識別情報（たとえば、無線アクセスネットワークタイプ１２６に関連付けられた情報）を調べることによって、モバイル機器１０２は無線アクセスネットワークタイプ１２８に誘導されるべきであると判断してもよく、調べられたユーザ名情報、訪問先ネットワーク識別情報、および／または無線アクセスネットワークタイプ識別情報に基づいて無線アクセスネットワークタイプ１２８を識別してもよい。いくつかの実施例では、ＤＳＲノード１１２は、ダイアメータベースの誘導事象を誘導ログ表（図示せず）に記録してもよい。
【００１８】
ステップ４で、ＤＳＲノード１１２は、モバイル機器１０２について無線アクセスネットワークタイプ１２６が許可されないことを示す位置情報更新返答（update location answer：ＵＬＡ）メッセージを作成して、ＭＭＥノード１２２に通信してもよい。ＭＭＥノード１２２はＵＬＡメッセージを受信してもよく、ステップ５で、アクセスネットワーク１１４からモバイル機器１０２を切り離す（デタッチ）べきであることを示すデタッチ要求メッセージを作成して、モバイル機器１０２に通信してもよい。ステップ６で、モバイル機器１０２は、無線アクセスネットワークタイプ１２８を介して、アクセスネットワーク１１４の送受信機／受信機ステーション１１８のうちの１つ以上に再アタッチしてもよい。ステップ７で、アクセスネットワーク１１４のＭＭＥノード１２２は、ＵＬＲメッセージをＳＤＲノード１０６に送信してもよい。ＵＬＲメッセージは、モバイル機器１０２を利用している加入者が無線アクセスネットワークタイプ１２８を介してアクセスネットワーク１１４に接続されていることを特定してもよい。ＤＳＲノード１１２は、ＵＬＲメッセージをＳＤＲノード１０６にルーティングしてもよく、それは、ステップ８で、位置の更新が成功したことを示すＵＬＡメッセージを用いて、アクセスネットワーク１１４のＭＭＥノード１２２に回答してもよい。
【００１９】
図３は、ここに説明される主題の実施例に従う、ＵＬＲに応答した、異なる無線アクセスネットワークへのモバイル機器ネットワークアクセスのダイアメータベースの誘導のための例示的なメッセージシーケンスである。図３を参照して、ステップ１で、モバイル機器１０２は、アクセスネットワーク１１４の送受信機／受信機ステーション１１８のうちの１つ以上にアタッチされてもよい。ステップ２で、アクセスネットワーク１１４のＭＭＥノード１２２は、ＵＬＲメッセージをＳＤＲノード１０６に送信してもよい。ＵＬＲメッセージは、モバイル機器１０２を利用している加入者がアクセスネットワーク１１４を介して接続されていることを特定してもよい。ＳＤＲノード１０６に行く途中で、ＤＳＲノード１１２がＵＬＲメッセージを遮ってもよい。ここに説明される主題の実施例によれば、ステップ３で、ＤＳＲノード１１２は、モバイル機器１０２はアクセスネットワーク１１６に誘導されるべきであると判断してもよい。たとえば、誘導／選別ルールデータベース１３６に格納された誘導ルールが、モバイル機器１０２を利用している加入者はアクセスネットワーク１１６に誘導されるべきであると特定してもよい。いくつかの実施例では、ＤＳＲノード１１２は、ＵＬＲメッセージに含まれたユーザ名情報（たとえば、モバイル機器１０２を利用している加入者に関連付けられた情報）、訪問先ネットワーク識別情報（たとえば、アクセスネットワーク１１４に関連付けられた情報）、および／または無線アクセスネットワークタイプ識別情報（たとえば、無線アクセスネットワークタイプ１２６および／または無線アクセスネットワークタイプ１２８に関連付けられた情報）を調べることによって、モバイル機器１０２はアクセスネットワーク１１６に誘導されるべきであると判断してもよく、調べられたユーザ名情報、訪問先ネットワーク識別情報、および／または無線アクセスネットワークタイプ識別情報に基づいてアクセスネットワーク１１６を識別してもよい。いくつかの実施例では、ＤＳＲノード１１２は、ダイアメータベースの誘導事象を誘導ログ表（図示せず）に記録してもよい。
【００２０】
ステップ４で、ＤＳＲノード１１２は、モバイル機器１０２についてアクセスネットワーク１１４が許可されないことを示す位置情報更新返答（ＵＬＡ）メッセージを作成して、ＭＭＥノード１２２に通信してもよい。ＭＭＥノード１２２はＵＬＡメッセージを受信してもよく、ステップ５で、アクセスネットワーク１１４からモバイル機器１０２をデタッチすべきであることを示すデタッチ要求メッセージを作成して、モバイル機器１０２に通信してもよい。ステップ６で、モバイル機器１０２は、アクセスネットワーク１１６の送受信機／受信機ステーション１２０のうちの１つ以上にアタッチしてもよい。ステップ７で、アクセスネットワーク１１６のＭＭＥノード１２４は、ＵＬＲメッセージをＳＤＲノード１０６に送信してもよい。ＵＬＲメッセージは、モバイル機器１０２を利用している加入者がアクセスネットワーク１１６に接続されていることを特定してもよい。ＤＳＲノード１１２は、ＵＬＲメッセージをＳＤＲノード１０６にルーティングしてもよく、それは、ステップ８で、位置の更新が成功したことを示すＵＬＡメッセージを用いて、アクセスネットワーク１１６のＭＭＥノード１２４に回答してもよい。
【００２１】
図４は、ここに説明される主題の実施例に従う、クレジット管理要求（ＣＣＲ）に応答した、モバイル機器ネットワークアクセスのダイアメータベースの誘導のための例示的なメッセージシーケンスである。図４を参照して、ステップ１で、モバイル機器１０２は、アクセスネットワーク１１４を介してＰＣＥＦノード１１０に接続されてもよい。ステップ２で、ＰＣＥＦノード１１０は、モバイル機器１０２に関連付けられたＣＣＲメッセージをＰＣＲＦノード１０８に送信してもよい。ステップ３で、ＰＣＲＦノード１０８は、クレジット管理返答（credit control answer：ＣＣＡ）メッセージを用いて、ＣＣＲメッセージに応答してもよい。ここに説明される主題の実施例によれば、ステップ４で、ＰＣＲＦノード１０８は、モバイル機器１０２はアクセスネットワーク１１６に誘導されるべきであると判断してもよい。たとえば、誘導／選別ルールデータベース１３４に格納された誘導ルールが、モバイル機器１０２を利用している加入者はアクセスネットワーク１１６に誘導されるべきであると特定してもよい。いくつかの実施例では、ＰＣＲＦノード１０８は、ＣＣＲメッセージに含まれたユーザ名情報（たとえば、モバイル機器１０２を利用している加入者に関連付けられた情報）、訪問先ネットワーク識別情報（たとえば、アクセスネットワーク１１４に関連付けられた情報）、および／または無線アクセスネットワークタイプ識別情報（たとえば、無線アクセスネットワークタイプ１２６および／または無線アクセスネットワークタイプ１２８に関連付けられた情報）を調べることによって、モバイル機器１０２はアクセスネットワーク１１６に誘導されるべきであると判断してもよく、調べられたユーザ名情報、訪問先ネットワーク識別情報、および／または無線アクセスネットワークタイプ識別情報に基づいてアクセスネットワーク１１６を識別してもよい。いくつかの実施例では、ＰＣＲＦノード１０８は、ダイアメータベースの誘導事象を誘導ログ表（図示せず）に記録してもよい。
【００２２】
ステップ５で、ＰＣＲＦノード１０８は、位置情報削除要求（cancel location request：ＣＬＲ）メッセージをアクセスネットワーク１１４のＭＭＥノード１２２に送信するようＳＤＲノード１０６に指示するメッセージを、ＳＤＲノード１０６に送信してもよい。ステップ６で、ＳＤＲノード１０６は、ＣＬＲメッセージをアクセスネットワーク１１４のＭＭＥノード１２２に送信してもよい。ステップ７で、モバイル機器１０２は、アクセスネットワーク１１４からデタッチしてもよい。ステップ８で、モバイル機器１０２は、アタッチを開始するよう、アクセスネットワーク１１６にメッセージを送信してもよく、ステップ９で、モバイル機器１０２は、アクセスネットワーク１１６を介してＰＣＥＦノード１１０との接続を確立してもよい。ステップ１０で、アクセスネットワーク１１６は、アクセスネットワーク１１６を介したモバイル機器１０２の接続の成功を示すＵＬＲメッセージをＳＤＲノード１０６に送信してもよい。
【００２３】
図５は、ここに説明される主題の実施例に従う、加入者情報が加入者データリポジトリから得られる、モバイル機器ネットワークアクセスのダイアメータベースの誘導のための例示的なメッセージシーケンスである。図５を参照して、ステップ１で、モバイル機器１０２は、アクセスネットワーク１１４を介してＰＣＥＦノード１１０に接続されてもよい。ステップ２で、ＰＣＥＦノード１１０は、モバイル機器１０２に関連付けられたＣＣＲメッセージをＰＣＲＦノード１０８に送信してもよい。ステップ３で、ＰＣＲＦノード１０８は、ＣＣＡメッセージを用いてＣＣＲメッセージに応答してもよい。ここに説明される主題の実施例によれば、ステップ４で、ＰＣＲＦノード１０８は、モバイル機器１０２はアクセスネットワーク１１６に誘導されるべきであると判断してもよい。たとえば、誘導／選別ルールデータベース１３４に格納された誘導ルールが、アクセスネットワーク１１４、無線アクセスネットワークタイプ１２６、および／または無線アクセスネットワークタイプ１２８を利用している加入者は、アクセスネットワーク１１６に誘導されるべきであると特定してもよい。いくつかの実施例では、ＰＣＲＦノード１０８は、ＣＣＲメッセージに含まれたユーザ名情報（たとえば、モバイル機器１０２を利用している加入者に関連付けられた情報）を調べ、ユーザ名情報を利用して訪問先ネットワーク識別情報（たとえば、アクセスネットワーク１１４に関連付けられた情報）および／または無線アクセスネットワークタイプ識別情報（たとえば、無線アクセスネットワークタイプ１２６および／または無線アクセスネットワークタイプ１２８に関連付けられた情報）を得ることによって、モバイル機器１０２はアクセスネットワーク１１６に誘導されるべきであると判断してもよい。たとえば、ステップ５で、ＰＣＲＦノード１０８は、ＣＣＲメッセージに含まれたユーザ名情報（たとえば、モバイル機器１０２を利用している加入者に関連付けられた情報）を利用して、訪問先ネットワーク識別情報（たとえば、アクセスネットワーク１１４に関連付けられた情報）および／または無線アクセスネットワークタイプ識別情報（たとえば、無線アクセスネットワークタイプ１２６および／または無線アクセスネットワークタイプ１２８に関連付けられた情報）についてＳＤＲノード１０６にクエリーを行なってもよい。ステップ６で、ＳＤＲノード１０６は、モバイル機器１０２を利用している加入者はアクセスネットワーク１１４、無線アクセスネットワークタイプ１２６、および／または無線アクセスネットワークタイプ１２８を介して接続されていることを示す応答を用いて、ＰＣＲＦノード１０８のクエリーに応答してもよい。いくつかの実施例では、ＰＣＲＦノード１０８は、ダイアメータベースの誘導事象を誘導ログ表（図示せず）に記録してもよい。
【００２４】
ステップ７で、ＳＤＲノード１０６は、ＣＬＲメッセージをアクセスネットワーク１１４のＭＭＥノード１２２に送信してもよい。ステップ８で、モバイル機器１０２は、アクセスネットワーク１１４からデタッチしてもよい。ステップ９で、モバイル機器１０２は、アタッチを開始するよう、アクセスネットワーク１１６にメッセージを送信してもよく、ステップ１０で、モバイル機器１０２は、アクセスネットワーク１１６を介してＰＣＥＦノード１１０との接続を確立してもよい。ステップ１１で、アクセスネットワーク１１６は、アクセスネットワーク１１６を介したモバイル機器１０２の接続の成功を示すＵＬＲメッセージをＳＤＲノード１０６に送信してもよい。
【００２５】
図６は、ここに説明される主題の実施例に従う、ＵＬＲに応答して、モバイル機器の汎用加入者識別モジュール（ＵＳＩＭ）が、好ましいローミングネットワーク情報を反映するよう更新される、モバイル機器ネットワークアクセスのダイアメータベースの誘導のための例示的なメッセージシーケンスである。図６を参照して、ステップ１で、モバイル機器１０２は、アクセスネットワーク１１４を介して接続されてもよい。ステップ２で、アクセスネットワーク１１４は、モバイル機器１０２に関連付けられたＵＬＲメッセージをＳＤＲノード１０６に送信してもよい。ＵＬＲメッセージは、モバイル機器１０２を利用している加入者がアクセスネットワーク１１４を介して接続されていることを特定してもよい。ＳＤＲノード１０６に行く途中で、ＤＳＲノード１１２がＵＬＲメッセージを遮ってもよい。ここに説明される主題の実施例によれば、ステップ３で、ＤＳＲノード１１２は、モバイル機器１０２はアクセスネットワーク１１６に誘導されるべきであると判断してもよい。たとえば、誘導／選別ルールデータベース１３６に格納された誘導ルールが、モバイル機器１０２を利用している加入者はアクセスネットワーク１１６に誘導されるべきであると特定してもよい。いくつかの実施例では、ＤＳＲノード１１２は、ＵＬＲメッセージに含まれたユーザ名情報（たとえば、モバイル機器１０２を利用している加入者に関連付けられた情報）、訪問先ネットワーク識別情報（たとえば、アクセスネットワーク１１４に関連付けられた情報）、および／または無線アクセスネットワークタイプ識別情報（たとえば、無線アクセスネットワークタイプ１２６および／または無線アクセスネットワークタイプ１２８に関連付けられた情報）を調べることによって、モバイル機器１０２はアクセスネットワーク１１６に誘導されるべきであると判断してもよく、調べられたユーザ名情報、訪問先ネットワーク識別情報、および／または無線アクセスネットワークタイプ識別情報に基づいてアクセスネットワーク１１６を識別してもよい。いくつかの実施例では、ＤＳＲノード１１２は、ダイアメータベースの誘導事象を誘導ログ表（図示せず）に記録してもよい。
【００２６】
ステップ４で、ＤＳＲノード１１２は、モバイル機器１０２の好ましいローミングネットワーク情報を更新するために（たとえば、アクセスネットワーク１１４よりもアクセスネットワーク１１６により高い優先度が付与されるように、モバイル機器１０２の好ましいローミングネットワーク情報を修正するために）、ＵＳＩＭアプリケーションツールキット（ＵＳＡＴ）メッセージを作成して、モバイル機器１０２に通信してもよい。ステップ５で、モバイル機器１０２は、ＤＳＲノード１１２からＵＳＡＴメッセージを受信し、それに応じてその好ましいローミングネットワーク情報を更新してもよい。ステップ６で、ＤＳＲノード１１２は、ＣＬＲメッセージをアクセスネットワーク１１４のＭＭＥノード１２２に送信してもよい。いくつかの実施例では、ＤＳＲノード１１２は、それの代わりに、ＣＬＲメッセージをアクセスネットワーク１１４のＭＭＥノード１２２に送信するようＳＤＲノード１０６に指示するメッセージを、ＳＤＲノード１０６に送信してもよい（図示せず）。ステップ７で、モバイル機器１０２は、アクセスネットワーク１１４からデタッチしてもよい。ステップ８で、モバイル機器１０２は、アタッチを開始するよう、アクセスネットワーク１１６にメッセージを送信してもよく、ステップ９で、モバイル機器１０２は、アクセスネットワーク１１６を介して接続を確立してもよい。ステップ１０で、アクセスネットワーク１１６は、アクセスネットワーク１１６を介したモバイル機器１０２の接続の成功を示すＵＬＲメッセージをＳＤＲノード１０６に送信してもよい。
【００２７】
図７は、ここに説明される主題の実施例に従う、ＣＣＲに応答して、モバイル機器のＵＳＩＭが、好ましいローミングネットワーク情報を反映するよう更新される、モバイル機器ネットワークアクセスのダイアメータベースの誘導のための例示的なメッセージシーケンスである。図７を参照して、ステップ１で、モバイル機器１０２は、アクセスネットワーク１１４を介してＰＣＥＦノード１１０に接続されてもよい。ステップ２で、ＰＣＥＦノード１１０は、モバイル機器１０２に関連付けられたＣＣＲメッセージをＰＣＲＦノード１０８に送信してもよい。ステップ３で、ＰＣＲＦノード１０８は、ＣＣＡメッセージを用いてＣＣＲメッセージに応答してもよい。ここに説明される主題の実施例によれば、ステップ４で、ＰＣＲＦノード１０８は、モバイル機器１０２はアクセスネットワーク１１６に誘導されるべきであると判断してもよい。たとえば、誘導／選別ルールデータベース１３４に格納された誘導ルールが、モバイル機器１０２を利用している加入者はアクセスネットワーク１１６に誘導されるべきであると特定してもよい。いくつかの実施例では、ＰＣＲＦノード１０８は、ＣＣＲメッセージに含まれたユーザ名情報（たとえば、モバイル機器１０２を利用している加入者に関連付けられた情報）、訪問先ネットワーク識別情報（たとえば、アクセスネットワーク１１４に関連付けられた情報）、および／または無線アクセスネットワークタイプ識別情報（たとえば、無線アクセスネットワークタイプ１２６および／または無線アクセスネットワークタイプ１２８に関連付けられた情報）を調べることによって、モバイル機器１０２はアクセスネットワーク１１６に誘導されるべきであると判断してもよく、調べられたユーザ名情報、訪問先ネットワーク識別情報、および／または無線アクセスネットワークタイプ識別情報に基づいてアクセスネットワーク１１６を識別してもよい。いくつかの実施例では、ＰＣＲＦノード１０８は、ダイアメータベースの誘導事象を誘導ログ表（図示せず）に記録してもよい。
【００２８】
ステップ５で、ＰＣＲＦノード１０８は、モバイル機器１０２の好ましいローミングネットワーク情報を更新するために（たとえば、アクセスネットワーク１１４よりもアクセスネットワーク１１６により高い優先度が付与されるように、モバイル機器１０２の好ましいローミングネットワーク情報を修正するために）、ＵＳＡＴメッセージを作成してモバイル機器１０２に通信してもよい。ステップ６で、モバイル機器１０２は、ＰＣＲＦノード１０８からＵＳＡＴメッセージを受信して、それに応じてその好ましいローミングネットワーク情報を更新してもよい。ステップ７で、ＰＣＲＦノード１０８は、ＣＬＲメッセージをアクセスネットワーク１１４のＭＭＥノード１２２に送信してもよい。いくつかの実施例では、ＰＣＲＦノード１０８は、それの代わりに、ＣＬＲメッセージをアクセスネットワーク１１４のＭＭＥノード１２２に送信するようＳＤＲノード１０６に指示するメッセージを、ＳＤＲノード１０６に送信してもよい（図示せず）。ステップ８で、モバイル機器１０２は、アクセスネットワーク１１４からデタッチしてもよい。ステップ９で、モバイル機器１０２は、アタッチを開始するよう、アクセスネットワーク１１６にメッセージを送信してもよく、ステップ１０で、モバイル機器１０２は、アクセスネットワーク１１６を介してＰＣＥＦノード１１０との接続を確立してもよい。ステップ１１で、アクセスネットワーク１１６は、アクセスネットワーク１１６を介したモバイル機器１０２の接続の成功を示すＵＬＲメッセージをＳＤＲノード１０６に送信してもよい。
【００２９】
図８は、ここに説明される主題の実施例に従う、ネットワーク優先度情報の変更に応答して、モバイル機器のＵＳＩＭが、ＰＣＲＦノードにより、好ましいローミングネットワーク情報を反映するよう更新される、モバイル機器ネットワークアクセスのダイアメータベースの誘導のための例示的なメッセージシーケンスである。図８を参照して、ステップ１で、モバイル機器１０２は、アクセスネットワーク１１４を介してＰＣＥＦノード１１０に接続されてもよい。ステップ２で、ＳＤＲノード１０６は、モバイル機器１０２を利用している加入者にとって、アクセスネットワーク１１６が現在、アクセスネットワーク１１４よりも優先度の高いネットワークであることを示すメッセージを、ＰＣＲＦノード１０８に送信してもよい。たとえば、キャリアネットワーク１０４に関連付けられたオペレータが、モバイル機器１０２を利用している加入者にとって、アクセスネットワーク１１６が現在、アクセスネットワーク１１４よりも優先度の高いネットワークであることを特定する更新された誘導ルールを、ＳＤＲノード１０６に提供していてもよい。ここに説明される主題の実施例によれば、ステップ３で、ＰＣＲＦノード１０８は、モバイル機器１０２はアクセスネットワーク１１６に誘導されるべきであると判断してもよい。たとえば、ＰＣＲＦノード１０８は、モバイル機器１０２を利用している加入者にとって、アクセスネットワーク１１６が現在、アクセスネットワーク１１４よりも優先度の高いネットワークであることを示すＳＤＲノード１０６のメッセージに応答して、モバイル機器１０２はアクセスネットワーク１１６に誘導されるべきであると判断してもよい。いくつかの実施例では、ＰＣＲＦノード１０８は、ダイアメータベースの誘導事象を誘導ログ表（図示せず）に記録してもよい。
【００３０】
ステップ４で、ＰＣＲＦノード１０８は、モバイル機器１０２の好ましいローミングネットワーク情報を更新するために（たとえば、アクセスネットワーク１１４よりもアクセスネットワーク１１６により高い優先度が付与されるように、モバイル機器１０２の好ましいローミングネットワーク情報を修正するために）、ＵＳＡＴメッセージを作成してモバイル機器１０２に通信してもよい。ステップ５で、モバイル機器１０２は、ＰＣＲＦノード１０８からＵＳＡＴメッセージを受信し、それに応じてその好ましいローミングネットワーク情報を更新してもよい。ステップ６で、ＰＣＲＦノード１０８は、ＣＬＲメッセージをアクセスネットワーク１１４のＭＭＥノード１２２に送信してもよい。いくつかの実施例では、ＰＣＲＦノード１０８は、それの代わりに、ＣＬＲメッセージをアクセスネットワーク１１４のＭＭＥノード１２２に送信するようＳＤＲノード１０６に指示するメッセージを、ＳＤＲノード１０６に送信してもよい（図示せず）。ステップ７で、モバイル機器１０２は、アクセスネットワーク１１４からデタッチしてもよい。ステップ８で、モバイル機器１０２は、アタッチを開始するよう、アクセスネットワーク１１６にメッセージを送信してもよく、ステップ９で、モバイル機器１０２は、アクセスネットワーク１１６を介してＰＣＥＦノード１１０との接続を確立してもよい。ステップ１０で、アクセスネットワーク１１６は、アクセスネットワーク１１６を介したモバイル機器１０２の接続の成功を示すＵＬＲメッセージをＳＤＲノード１０６に送信してもよい。
【００３１】
図９は、ここに説明される主題の実施例に従う、ネットワーク優先度情報の変更に応答して、モバイル機器のＵＳＩＭが、ＤＳＲノードにより、好ましいローミングネットワーク情報を反映するよう更新される、モバイル機器ネットワークアクセスのダイアメータベースの誘導のための例示的なメッセージシーケンスである。図９を参照して、ステップ１で、モバイル機器１０２は、アクセスネットワーク１１４を介してＰＣＥＦノード１１０に接続されてもよい。ステップ２で、ＳＤＲノード１０６は、モバイル機器１０２を利用している加入者にとって、アクセスネットワーク１１６が現在、アクセスネットワーク１１４よりも優先度の高いネットワークであることを示すメッセージを、ＤＳＲノード１１２に送信してもよい。たとえば、キャリアネットワーク１０４に関連付けられたオペレータが、モバイル機器１０２を利用している加入者にとって、アクセスネットワーク１１６が現在、アクセスネットワーク１１４よりも優先度の高いネットワークであることを特定する更新された誘導ルールを、ＳＤＲノード１０６に提供していてもよい。ここに説明される主題の実施例によれば、ステップ３で、ＤＳＲノード１１２は、モバイル機器１０２はアクセスネットワーク１１６に誘導されるべきであると判断してもよい。たとえば、ＤＳＲノード１１２は、モバイル機器１０２を利用している加入者にとって、アクセスネットワーク１１６が現在、アクセスネットワーク１１４よりも優先度の高いネットワークであることを示すＳＤＲノード１０６のメッセージに応答して、モバイル機器１０２はアクセスネットワーク１１６に誘導されるべきであると判断してもよい。いくつかの実施例では、ＤＳＲノード１１２は、ダイアメータベースの誘導事象を誘導ログ表（図示せず）に記録してもよい。
【００３２】
ステップ４で、ＤＳＲノード１１２は、モバイル機器１０２の好ましいローミングネットワーク情報を更新するために（たとえば、アクセスネットワーク１１４よりもアクセスネットワーク１１６により高い優先度が付与されるように、モバイル機器１０２の好ましいローミングネットワーク情報を修正するために）、ＵＳＡＴメッセージを作成してモバイル機器１０２に通信してもよい。ステップ５で、モバイル機器１０２は、ＤＳＲノード１１２からＵＳＡＴメッセージを受信し、それに応じてその好ましいローミングネットワーク情報を更新してもよい。ステップ６で、ＤＳＲノード１１２は、ＣＬＲメッセージをアクセスネットワーク１１４のＭＭＥノード１２２に送信してもよい。いくつかの実施例では、ＤＳＲノード１１２は、それの代わりに、ＣＬＲメッセージをアクセスネットワーク１１４のＭＭＥノード１２２に送信するようＳＤＲノード１０６に指示するメッセージを、ＳＤＲノード１０６に送信してもよい（図示せず）。ステップ７で、モバイル機器１０２は、アクセスネットワーク１１４からデタッチしてもよい。ステップ８で、モバイル機器１０２は、アタッチを開始するよう、アクセスネットワーク１１６にメッセージを送信してもよく、ステップ９で、モバイル機器１０２は、アクセスネットワーク１１６を介してＰＣＥＦノード１１０との接続を確立してもよい。ステップ１０で、アクセスネットワーク１１６は、アクセスネットワーク１１６を介したモバイル機器１０２の接続の成功を示すＵＬＲメッセージをＳＤＲノード１０６に送信してもよい。
【００３３】
図１０は、ここに説明される主題の実施例に従う、モバイル機器ネットワークアクセスのダイアメータベースの誘導のための例示的な誘導ポリシールールデータ表である。図１０を参照して、表１０００は、１つ以上の誘導ポリシールールを特定してもよい。たとえば、表１０００は、加入者識別情報（たとえば、国際携帯電話加入者識別情報（ＩＭＳＩ）、グローバル一意一時識別情報（ＧＵＴＩ）、および／またはユニフォームリソース識別子（ＵＲＩ））を特定するための列を含んでいてもよい。表１０００はまた、１つ以上の誘導条件を特定するための１つ以上の列を含んでいてもよい。たとえば、表１０００は、無線アクセスネットワーク誘導条件、無線アクセスネットワークタイプ誘導条件、曜日誘導条件、時刻誘導条件、および／または、追跡エリア、位置エリアおよび／またはセル識別子誘導条件を特定するための列を含んでいてもよい。表１０００はさらに、特定された誘導条件に整合する加入者が許可されるべきか拒否されるべきかを特定するための列と、加入者によって利用されているモバイル機器のＵＳＩＭに通信すべきアクセス技術リストプロファイルを特定する列とを含んでいてもよい。
【００３４】
表１０００はまた、個々の誘導ポリシールールを特定する１つ以上のエントリを含んでいてもよい。たとえば、表１０００は、任意の曜日の任意の時刻に、無線アクセスネットワーク「VisitedNetX」、任意の無線アクセスネットワークタイプを利用した、任意の追跡エリア、位置エリア、またはセル識別子からの任意の加入者識別子が、「ErrorCode_1」を用いて拒否されるべきであること、および、そのような加入者によって利用されているモバイル機器のＵＳＩＭに、アクセス技術リストプロファイルを通信すべきではないことを特定するエントリを含んでいてもよい。表１０００はまた、任意の曜日の任意の時刻に、無線アクセスネットワークタイプ「RAT-typeY」を介して任意の無線アクセスネットワークを利用した、任意の追跡エリア、位置エリア、またはセル識別子からの加入者識別子「SubID1」が、「ErrorCode_2」を用いて拒否されるべきであること、および、そのような加入者によって利用されているモバイル機器のＵＳＩＭに、アクセス技術リストプロファイル「List1」を通信すべきであることを特定するエントリを含んでいてもよい。いくつかの実施例では、表１０００は、１つ以上の誘導／選別ルールデータベース、たとえば、誘導／選別ルールデータベース１３４および／または誘導／選別ルールデータベース１３６に格納されていてもよい。
【００３５】
図１１は、ここに説明される主題の実施例に従う、モバイル機器ネットワークアクセスのダイアメータベースの誘導のための例示的な誘導ログデータ表である。図１１を参照して、表１１００は、ダイアメータベースの誘導事象の発生を記録するために利用されてもよい。たとえば、表１１００は、ダイアメータベースの誘導事象についての加入者識別情報（たとえば、ＩＭＳＩ、ＧＵＴＩ、および／またはＵＲＩ）を特定するための列を含んでいてもよい。表１１００はまた、加入者によって利用されているモバイル機器のＵＳＩＭに通信されたアクセス技術リストプロファイルを特定するための列と、プロファイルが通信された時刻を特定するための列とを含んでいてもよい。表１１００はまた、個々のダイアメータベースの誘導事象を特定する１つ以上のエントリを含んでいてもよい。たとえば、表１１００は、２０１０年１月１日の２時３０分３４秒に、アクセス技術リストプロファイル「List1」が、加入者によって利用されているモバイル機器のＵＳＩＭに通信されたというダイアメータベースの誘導事象が、加入者識別子「SubID1」について発生したことを特定するエントリを含んでいてもよい。いくつかの実施例では、表１１００は、１つ以上の誘導／選別ルールデータベース、たとえば、誘導／選別ルールデータベース１３４および／または誘導／選別ルールデータベース１３６に格納されていてもよい。
【００３６】
図１２は、ここに説明される主題の実施例に従う、モバイル機器ネットワークアクセスのダイアメータベースの誘導のための例示的なプロセスを示すフローチャートである。図１２を参照して、ステップ１２００で、モバイル機器に関連付けられたダイアメータメッセージが受信される。たとえば、ＤＳＲノード１１２が、モバイル機器１０２に関連付けられたＵＬＲメッセージを受信してもよい。ステップ１２０２で、モバイル機器が、モバイル機器のネットワークアクセスを現在サポートしている無線アクセスネットワークまたは無線アクセスネットワークタイプとは異なる、無線アクセスネットワークまたは無線アクセスネットワークタイプにアクセスするように誘導されるべきかどうかが、ダイアメータメッセージに基づいて判断される。たとえば、ＤＳＲノード１１２は、ダイアメータメッセージに基づいて、モバイル機器１０２はアクセスネットワーク１１６にアクセスするように誘導されるべきであると判断してもよい。ステップ１２０４で、モバイル機器は異なる無線アクセスネットワークまたは無線アクセスネットワークタイプにアクセスすべきであるという判断に応答して、モバイル機器は、異なる無線アクセスネットワークまたは無線アクセスネットワークタイプにアクセスするように誘導される。たとえば、モバイル機器１０２はアクセスネットワーク１１６にアクセスすべきであるという判断に応答して、モバイル機器１０２はアクセスネットワーク１１６にアクセスするように誘導されてもよい。
【００３７】
図１３は、ここに説明される主題の実施例に従う、モバイル機器ネットワークアクセスのダイアメータベースの誘導のためのネットワークノードを示すブロック図である。図１３を参照して、ＤＳＲノード１１２および／またはＰＣＲＦノード１０８は、通信インターフェイス１３００を含んでいてもよい。通信インターフェイス１３００は、ダイアメータメッセージを送信および／または受信するのに好適なあらゆるインターフェイスであってもよい。通信インターフェイス１３００は、モバイル機器に関連付けられたダイアメータメッセージを受信するよう構成されてもよい。たとえば、通信インターフェイス１３００は、モバイル機器１０２に関連付けられたＵＬＲメッセージを受信するよう構成されてもよい。ＤＳＲノード１１２および／またはＰＣＲＦノード１０８はまた、誘導モジュール１３０２を含んでいてもよい。誘導モジュール１３０２は、モバイル機器が、モバイル機器のネットワークアクセスを現在サポートしている無線アクセスネットワークまたは無線アクセスネットワークタイプとは異なる、無線アクセスネットワークまたは無線アクセスネットワークタイプにアクセスするように誘導されるべきかどうかを、ダイアメータメッセージに基づいて判断するよう構成されてもよい。たとえば、誘導モジュール１３０２は、ＵＬＲメッセージに基づいて、モバイル機器１０２はアクセスネットワーク１１６にアクセスするように誘導されるべきであると判断するよう構成されてもよい。誘導モジュール１３０２はまた、モバイル機器は異なる無線アクセスネットワークまたは無線アクセスネットワークタイプにアクセスすべきであるという判断に応答して、モバイル機器を、異なる無線アクセスネットワークまたは無線アクセスネットワークタイプにアクセスするように誘導するよう構成されてもよい。たとえば、誘導モジュール１３０２は、モバイル機器１０２はアクセスネットワーク１１６にアクセスすべきであるという判断に応答して、モバイル機器１０２を、アクセスネットワーク１１６にアクセスするように誘導するよう構成されてもよい。
【００３８】
ここに説明された主題のさまざまな詳細が、ここに説明された主題の範囲から逸脱することなく変更されてもよい、ということが理解されるであろう。また、前述の説明は限定のためではなく例示のためである。なぜなら、ここに説明された主題は、ここに述べる請求項によって定義されるからである。
【図１】
0005661207.tif 000002
【図２】
0005661207.tif 000003
【図３】
0005661207.tif 000004
【図４】
0005661207.tif 000005
【図５】
0005661207.tif 000006
【図６】
0005661207.tif 000007
【図７】
0005661207.tif 000008
【図８】
0005661207.tif 000009
【図９】
0005661207.tif 000010
【図１０】
0005661207.tif 000011
【図１１】
0005661207.tif 000012
【図１２】
0005661207.tif 000013
【図１３】
0005661207.tif 000014